(57)【特許請求の範囲】
【請求項１】
導体を絶縁樹脂フィルムで被覆した可撓性を有するフラットケーブルをスライダーで保持して、フォーク状端子を位置決め収容しているハウジング内に挿入し、フラットケーブルの導体を上記端子に押圧して電気接続させるコネクタであって、
上記フラットケーブルは、その先端部から所定間隔をあけて、中間接続する上記導体のみを上記絶縁樹脂フィルムを剥離して導体を露出させ、
上記スライダーは、上記ハウジング内のフォーク状端子の間に押し込む先端押込部に連続したボックス部を備え、該ボックス部の端面に差込口を設けたフラットケーブルの挿入孔を貫通させ、該挿入孔に通した差し込んだフラットケーブルを上記先端押込部の一側面で支持している一方、
上記ボックス部の側面より上記挿入孔と直交する切欠溝を設けると共に、該切欠溝にロック結合させるケーブル押さえ材を設け、該ケーブル押さえ材の内面に突起を設けて、上記挿入孔を通るフラットケーブルを突起により押圧保持し、かつ、該ケーブル押さえ材の内面に凹部を設け、該凹部にジョイント端子を収容しており、上記フラットケーブルの上記露出させた導体を上記ジョイント端子と対向する位置として接触させ、
上記スライダーとケーブル押さえ材でフラットケーブルを固定した状態で、上記ハウジングに挿入して、上記先端押込部の側面に支持したフラットケーブルの導体をフォーク状端子の接触片と電気接続させていると共に、上記フラットケーブルの中間接続する導体のみを上記ジョイント端子と電気接続させることを特徴とするコネクタ。
【発明の詳細な説明】
【０００１】
【発明の属する技術分野】
本発明は、ＦＦＣ（フレキシブルフラットケーブル）、ＦＰＣ（フレキシブルプリンテッドサーキット）等の可撓性を有するフラットケーブルのコネクタであって、コネクタのハウジングからの抜け止めを確実に図るものである。
【０００２】
【従来の技術】
従来、この種の銅箔あるいは印刷導体の両面を絶縁樹脂フィルムで被覆したフラットケーブル用のコネクタは、図６および図７（Ａ）（Ｂ）に示す構成とされている。
該コネクタ１はハウジング２の内部にフォーク状端子３を係止して収容しており、スライダー４でフラットケーブル５を支持した状態でハウジング２の開口２ａより押し込んでロック固定し、フラットケーブル５より露出させている導体をフォーク状端子３の接触片３ａと接触させている。
上記ハウジング１は基板６に搭載し、ハウジング１から突出させたフォーク状端子３のピン３ｂを基板６より突出させ、相手方の導体と接続させるようにしている。
なお、ハウジング１をプリント基板上に実装し、上記ピン３ｂをプリント基板の導体と半田接続する場合が多い。
【０００３】
【発明が解決しようとする課題】
上記構成のコネクタでは、フラットケーブル５の保持は、フラットケーブル５を支持しているスライダー４の先端押込部４ａをフォーク状端子３の両側の片３ａと３ｃとで挟持していることによりなされている。
この状態で、フラットケーブル５に引っ張り力や振動等が作用しない通常の状態では、フラットケーブル５の保持力は十分であるが、自動車に搭載した場合に、振動等が加わるため、フラットケーブル５の保持力は十分でなく、場合によっては、ハウジング１から抜けてフォーク状端子３と非接触になる恐れがある。
【０００４】
本発明は上記問題に鑑みてなされたもので、フラットケーブルの保持力を高めて、自動車搭載時に振動や引っ張り力がフラットケーブルに不可されても、フラットケーブルが移動しないようにして、電気接続信頼性を高めることを課題としている。
【０００５】
【課題を解決するための手段】
上記課題を解決するため、本発明は、導体を絶縁樹脂フィルムで被覆した可撓性を有するフラットケーブルをスライダーで保持して、フォーク状端子を位置決め収容しているハウジング内に挿入し、フラットケーブルの導体を上記端子に押圧して電気接続させるコネクタであって、
上記フラットケーブルは、その先端部から所定間隔をあけて、中間接続する上記導体のみを上記絶縁樹脂フィルムを剥離して導体を露出させ、
上記スライダーは、上記ハウジング内のフォーク状端子の間に押し込む先端押込部に連続したボックス部を備え、該ボックス部の端面に差込口を設けたフラットケーブルの挿入孔を貫通させ、該挿入孔に通した差し込んだフラットケーブルを上記先端押込部の一側面で支持している一方、
上記ボックス部の側面より上記挿入孔と直交する切欠溝を設けると共に、該切欠溝にロック結合させるケーブル押さえ材を設け、該ケーブル押さえ材の内面に突起を設けて、上記挿入孔を通るフラットケーブルを突起により押圧保持し、かつ、該ケーブル押さえ材の内面に凹部を設け、該凹部にジョイント端子を収容しており、上記フラットケーブルの上記露出させた導体を上記ジョイント端子と対向する位置として接触させ、
上記スライダーとケーブル押さえ材でフラットケーブルを固定した状態で、上記ハウジングに挿入して、上記先端押込部の側面に支持したフラットケーブルの導体をフォーク状端子の接触片と電気接続させていると共に、上記フラットケーブルの中間接続する導体のみを上記ジョイント端子と電気接続させることを特徴とするコネクタを提供している。
【０００６】
上記のように、スライダーにロック結合するケーブル押さえ材の突起によりフラットケーブルを押圧固定すると、切欠溝を挿通孔よりも深く切り込んでいるため、突起によりフラットケーブルを屈曲させた状態で押圧固定でき、スライダーをハウジング内に挿入した状態における前記フォーク状端子によるフラットケーブルの保持との両方で、フラットケーブルの保持力を高めることができる。その結果、車両搭載時にフラットケーブルに引っ張り力が振動等が負荷されても、フラットケーブルは移動せず、フラットケーブルの導体とフォーク状端子との電気接続信頼性を高めることができる。
【０００７】
さらに、上記のように、ケーブル押さえ材の内面に凹部を設け、該凹部にジョイント端子を収容する一方、上記フラットケーブルにはジョイント端子と接触させる位置でジョイントさせる導体を選択して露出させ、これら導体とジョイント端子とを接触させている。
【０００８】
上記構成とすると、フラットケーブルの導体を中間接続したい場合に、任意の導体を選択してジョイント端子により簡単に接続することができ、付加価値を高めることができる。
【０００９】
【発明の実施の形態】
以下、本発明の実施形態を図面を参照して説明する。
コネクタ１のハウジング２０および該ハウジング２０内に収容係止しているフォーク状端子３０は従来と同様な前記図６に示す形状としている。
【００１０】
本発明では、スライダー１０の構成を従来より変えている。
スライダー１０はハウジング２０内のフォーク状端子３０の両側の片３０ａと３０ｃの間に押し込む先端押込部１１に連続したボックス部１２を一体成形で設けている。ボックス部１２は端面１２ａに差込口１３ａを設けた挿入孔１３を貫通させ形成し、該挿入孔１３は、差込口１３ａより挿入したフラットケーブル５を先端押込部１１の一側面１１ａに沿うように位置させている。
【００１１】
ボックス部１２の幅広の一側面１２ｂに切欠溝１４を設け、該切欠溝１４を挿通孔１３と直交状態に連通させ、挿入孔１３よりも深い位置まで切り込んでいる。該切欠溝１４に嵌合するケーブル押さえ材１５を設け、該ケーブル押さえ材１５の両側枠１５ａの内面にロック孔１５ｂを穿設し、ボックス部１２の両側面１２ｃに突設したロック爪１２ｄとロック結合させるようにしている。
【００１２】
上記ケーブル押さえ材１５の中間枠１５ｃの内面には、その全長にわたって断面略三角形状の突起１６を設けている。
また、突起１６の上側部に全長にわたって凹部１７を設けている。この凹部には長方形状の導電性金属板からなるジョイント端子１８を収容保持している。
なお、凹部１７を全長ではなく、半側部に形成してもよい。
【００１３】
また、上記ボックス部１２の幅狭な両側面１２ｅの下端にロック爪１２ｆを突設する一方、ハウジング２０の対向する両側外面にロック爪係止枠２０ａを設けて、ハウジング２０のスライダーのボックス部１２をロック結合させるようにしている。
【００１４】
フラットケーブル５は図３に示すように、平行配線した銅箔からなる導体５ａを絶縁樹脂フィルム５ｂ、５ｃで被覆しており、その先端は一面側の絶縁樹脂フィルム５ｂを剥離して導体５ａを露出させている。また、この先端露出部分から所定間隔をあけて、中間接続する導体５ａ−１、５ｂ−２のみを絶縁樹脂フィルム５ｂを剥離して導体５ａ−１、５ａ−２を露出させている。
【００１５】
つぎに、組みつけ方について説明する。
まず、スライダー１０にケーブル押さえ材１５を取り付けていない状態で、ボックス部１２の差込口１３ａより図３に示すように導体５ａを露出させたフラットケーブル５を挿入孔１３に差し込む。挿通孔１３に通したフラットケーブル５の先端は挿通孔１３より出て先端押込部１１の一面に沿う状態とする。また、中間位置で露出させた導体５ａ−１、５ａ−２は切欠１４と対向させた位置とする。
【００１６】
ついで、ボックス部１２の切欠溝１４にケーブル押さえ材１５をはめ込みロック結合する。なお、ケーブル押さえ材１５の凹部１７には予めジョイント端子１８を収容保持させている。
ケーブル押さえ材１５をボックス部１２にロック結合した状態で、突起１６はフラットケーブル５を屈曲させて切欠溝１４の底面に押し付けて押圧固定する。また、図５に示すように、凹部１７内のジョイント端子１８は、露出した導体５ａ−１、５ａ−２と接触して、これら導体をジョイント端子１８を介して導通する。
【００１７】
このように、フラットケーブル５はスライダー１０に組みつけた状態でケーブル押さえ材１５により固定された状態となる。この状態でハウジング２０内に先端押込部１１を押し込む。該先端押込部１１はフォーク状端子３の両側壁３ａ、３ｃを押し広げた状態で挿入され、フラットケーブル５の先端の露出した導体５ａが片側の接触片３０ａと圧接する。
【００１８】
スライダー１０のボックス部１２がハウジング２の先端面と当接した位置で、ボックス部１２のロック爪１２ｆがハウジング２０のロック爪係止枠２０ａとロック結合する。
【００１９】
上記のようにフラットケーブル５をコネクタ１００に組みつけると、フラットケーブル５は、第一にスライダー１０においてケーブル押さえ材１５により位置決め保持されていると共に、第二にスライダー１０の先端押込部１１とフォーク状端子３０との間で挟持された状態となる。
このように、２カ所でフラットケーブル５が保持されるため、フラットケーブル５に引っ張り力や振動が作用しても、フラットケーブル５は移動せず、フラットケーブル５の導体５ａとフォーク状端子３０との電気接続を確保することができる。
【００２０】
また、フラットケーブル５の所要導体同士をジョイント端子１８により導通させることができる。例えば、フラットケーブルの導体を１つ飛びでも、また、３つ以上の導体も中間接続することができる。
【００２１】
なお、本発明は上記実施形態に限定されず、フラットケーブル５の導体の中間接続を図る必要がない場合には、ケーブル押さえ材１５にジョイント端子収容用の凹部１７を設ける必要はない。
【００２２】
【発明の効果】
以上の説明より明らかなように、本発明によれば、フラットケーブルを支持するスライダーにおいてケーブル押さえ材で電線を屈曲保持しているため、従来のコネクタと比較してフラットケーブルの保持力を高めることができ、フラットケーブルに引っ張り力が作用してもハウジングから抜けることはなく、電気接続信頼性を高めることができる。
【００２３】
さらに、スライダーに設けたジョイント端子によりフラットケーブルの導体を中間接続することもできる利点を有するものである。
【図面の簡単な説明】
【図１】  本発明の実施形態のコネクタの斜視図である。
【図２】  ケーブル押さえ材を示し、（Ａ）が斜視図、（Ｂ）は（Ａ）のＢ−Ｂ線断面図である。
【図３】  フラットケーブルを示す斜視図である。
【図４】  コネクタへのフラットケーブルの接続状態を示す断面図である。
【図５】  フラットケーブルの導体をジョイント端子で中間接続している説明図である。
【図６】  従来のコネクタの斜視図である。
【図７】  従来のコネクタへのフラットケーブルの接続状態を示す断面図である。
【符号の説明】
５  フラットケーブル
５ａ  導体
１０  スライダー
１１  先端押込部
１２  ボックス部
１３  挿入孔
１４  切欠溝
１５  ケーブル押さえ材
１６  突起
１７  凹部
１８  ジョイント端子
２０  ハウジング
３０  フォーク状端子
１００  コネクタ
【図１】
0004288874.tif 000002
【図２】
0004288874.tif 000003
【図３】
0004288874.tif 000004
【図４】
0004288874.tif 000005
【図５】
0004288874.tif 000006
【図６】
0004288874.tif 000007
【図７】
0004288874.tif 000008